【手続補正書】
【提出日】平成20年4月24日(2008.4.24)
【手続補正１】
【補正対象書類名】明細書
【補正対象項目名】特許請求の範囲
【補正方法】変更
【補正の内容】
【特許請求の範囲】
【請求項１】  機械的な動作をデジタル電気信号に変換するための、前記デジタル電気信号を出力するための出力端子を持ったエンコーダー；
互いに反対側の第１及び第２の主表面を備えた基板であって、前記エンコーダーが前記第１主表面に取り付けられている基板；
前記基板の前記第２主表面に取り付けられた少なくとも１つのプログラム可能な電子装置であって、前記エンコーダーによって生成される信号を処理するために構成された信号処理器を備え、前記エンコーダーの出力端子に電気的に接続されているプログラム可能な電子装置、
から成る電子装置。
【請求項２】  前記プログラム可能な電子装置がプログラム可能なコントローラーを備える、請求項１に記載の電子装置。
【請求項３】  前記プログラム可能なコントローラーが前記エンコーダーによって生成された信号を処理するようにプログラムされており；さらに、
前記プログラム可能なコントローラーが付加的に、前記エンコーダーによって生成された電気信号が前記プログラム可能なコントローラーによって処理される信号処理を選択的に変更することができるようにプログラムされている、
ことを特徴とする、請求項２に記載の電子装置。
【請求項４】  第１及び第２の実質的に反対側の主表面を備える基板；
前記基板の前記第１主表面に形成されたデジタルエンコーダーであって、作動シャフトを備え、前記作動シャフトの動作への応答で電気信号を発生するように構成されているデジタルエンコーダー；及び、
前記基板の前記第２主表面に取り付けられ、前記デジタルエンコーダーに電気的に接続されているプログラム可能な電子回路であって、前記エンコーダーによって生成された信号を処理するために構成されている信号処理器を備える、プログラム可能な電子回路、
から成る一体型デジタル電子エンコーダー。
【請求項５】  前記エンコーダーが前記作動シャフトの回転及び直線上の動作への応答で電気信号を発生するように構成されている、請求項４に記載の一体型デジタル電子エンコーダー。
【請求項６】  前記プログラム可能な電子回路がプログラム可能なコントローラーを備える、請求項４に記載の一体型デジタル電子エンコーダー。
【請求項７】  前記プログラム可能なコントローラーが前記エンコーダーによって生成された信号を処理するようにプログラムされており；さらに、
前記プログラム可能なコントローラーが付加的に、前記エンコーダーによって生成された電気信号が前記プログラム可能なコントローラーによって処理される信号処理を選択的に変更することができるようにプログラムされている、
ことを特徴とする、請求項６に記載の一体型デジタル電子エンコーダー。
【請求項８】  第１及び第２の主表面を備える基板；
前記基板の前記第１主表面に形成されたデジタルエンコーダーであって、入力装置の動作への応答で電気信号を発生するように構成されているデジタルエンコーダー；及び、
前記基板に取り付けられた電子回路であって、監視的電力処理回路、及び前記エンコーダーによって生成された電気信号を処理するためのロジック装置を備え、前記電子回路の少なくともいくつかの部材が前記基板の前記第２主表面に取り付けられていることを特徴とする電子回路、
から成る一体型デジタル電子エンコーダー。
【請求項９】  前記監視的電力処理回路が電力調整装置及び電力フィルターを備える、請求項８に記載の一体型デジタル電子エンコーダー。
【請求項１０】  前記ロジック装置がプログラマブルロジック装置を備える、請求項８に記載の一体型デジタル電子エンコーダー。
【請求項１１】  前記プログラマブルロジック装置が前記エンコーダーによって生成された電気信号に信号処理機能を実施するようにプログラムされている、請求項１０に記載の一体型デジタル電子エンコーダー。
【請求項１２】  前記プログラムロジック装置が前記エンコーダーによって生成された信号を処理するためにプログラムされており；さらに、
前記プログラマブルロジック装置が付加的に、前記エンコーダーによって生成された電気信号が前記プログラマブルロジック装置によって実施される信号処理を選択的に変更することができるようにプログラムされている、
ことを特徴とする、請求項１１に記載の一体型デジタル電子エンコーダー。
【請求項１３】  前記電子回路が付加的に、通信インターフェース回路を備える、請求項１２に記載の一体型デジタル電子エンコーダー。
【請求項１４】  前記電子回路が前記基板の前記第２主表面に取り付けられている、請求項８に記載の一体型デジタル電子エンコーダー。
【請求項１５】  第１及び第２の実質的に反対側の主表面を備えるプリント回路板；
前記プリント回路板の前記第２主表面に形成されたデジタルエンコーダーであって：
回転及び軸方向に動作可能な作動シャフトを備えたデジタルエンコーダー；及び、
前記作動シャフトの回転及び軸方向の動作を電気信号に変換するための前記プリント回路板の前記第１主表面に形成された伝導性部材を、備えるデジタルエンコーダー；
前記プリント回路板の前記第２主表面に表面実装されたプログラマブルロジック装置であって：
前記デジタルエンコーダーによって生成された電気信号を受信するために、前記プリント回路板を通して前記デジタルエンコーダーに接続されており；
前記デジタルエンコーダーによって生成された電気信号を処理するためにプログラムされている、プログラマブルロジック装置；
前記プログラマブルロジック装置に供給される電力を調整するための、前記プリント回路板の前記第２主表面に取り付けられた監視的電力処理回路；及び、
前記プログラマブルロジック装置によって処理された信号を受信するための、前記プリント回路板の前記第２主表面に取り付けられた通信インターフェース回路
から成る一体型デジタル電子エンコーダー。
【請求項１６】  前記プログラマブルロジック装置が前記エンコーダーによって生成された信号を処理するためにプログラムされており、さらに、
前記プログラマブルロジック装置が付加的に、前記エンコーダーによって生成された電気信号が前記プログラマブルロジック装置によって実施される信号処理を選択的に変更することができるようにプログラムされている、
ことを特徴とする、請求項１５に記載の一体型デジタル電子エンコーダー。
【請求項１７】  第１及び第２の実質的に反対側の主表面を備える基板；
前記基板の前記第１主表面に形成されたデジタルエンコーダーであって、作動シャフトを備え、前記作動シャフトの動作への応答で電気信号を発生するように構成されているデジタルエンコーダー；及び、
前記基板の前記第２主表面に取り付けられたプログラム可能な電子回路であって、（ａ）前記デジタルエンコーダーによって生成された電気信号を処理するための回路、及び（ｂ）監視的電力回路を含むプログラム可能な電子回路、
から成る一体型デジタル電子エンコーダー。
【請求項１８】  前記電子回路が付加的に、通信インターフェース回路を備える、請求項１７に記載の一体型デジタル電子エンコーダー。
【請求項１９】  機械的な動作をデジタル電子信号に変換し、前記デジタル電気信号を出力するための出力端子を持ったエンコーダー；
互いに反対側の第１及び第２の主表面を備えた基板であって、前記エンコーダーが前記第１主表面に取り付けられている基板；及び、
前記第２主表面に取り付けられ、前記エンコーダーの出力端子に電気的に接続されている少なくとも１つのプログラム可能な電子装置であって、信号処理機能を実施するためのプログラム可能な電子装置、及び電力調整装置を備えたプログラム可能な電子装置
から成る電子装置。
【請求項２０】  前記少なくとも１つの電子装置が付加的に、通信インターフェース回路を備える、請求項１９に記載の電子装置。